(57)【要約】【課題】  優れた美観や意匠性を持たせることができ、かつ長尺のものでも安定して巻き取ることができる屋根葺き用防水シートを提供する。【解決手段】  勾配を有する屋根下地上に敷設されて屋根が形成されるようにした屋根葺き用防水シートであって、防水性を有する軟質高分子材料からなるシート本体(10)の表面に、シートの厚さ方向に形成された段差(14)をもって境界(13)となされた単位模様(11)(12)が繰り返されるとともに、シートの長さ方向における断面積が幅方向の任意位置で略均一となされた連続模様が形成されてなる。【選択図】    図１Ｂ
2005179934.tif 000002
【特許請求の範囲】
【請求項１】
勾配を有する屋根下地上に敷設されて屋根が形成されるようにした屋根葺き用防水シートであって、
防水性を有する軟質高分子材料からなるシート本体の表面に、シートの厚さ方向に形成された段差をもって境界となされた単位模様が繰り返されるとともに、シートの長さ方向における断面積が幅方向の任意位置で略均一となされた連続模様が形成されてなることを特徴とする屋根葺き用防水シート。
【請求項２】
前記単位模様は平面視升目状である請求項１に記載の屋根葺き用防水シート。
【請求項３】
前記段差の高さが直線状または曲線状に変化してなる請求項１または２に記載の屋根葺き用防水シート。
【請求項４】
前記升目の境界を構成する４辺のうち、シートの長さ方向または幅方向のいずれか一方の方向に平行な２辺においては段差が直線状に変化し、他方の方向に平行な２辺のうちの第１の辺においては段差が両端で高くなる凹曲線状に変化し、第２の辺においては段差が両端で低くなる凸曲線状に変化してなる請求項２または３に記載の屋根葺き用防水シート。
【請求項５】
前記単位模様は、シートの長さ方向または幅方向のうちのいずれか一方の方向において並行に繰り返され、他方の方向において千鳥状に繰り返されてなる請求項１〜４のいずれか１項に記載の屋根葺き用防水シート。
【請求項６】
前記軟質高分子材料が、軟質ポリ塩化ビニル樹脂、ポリオレフィン系樹脂、塩化ビニル系熱可塑性エラストマー、ポリオレフィン系熱可塑性エラストマーの中から選択される軟質合成樹脂をもって構成されてなる請求項１〜５のいずれか１項に記載の屋根葺き用防水シート。
【請求項７】
前記シート本体の厚さ方向の中間に、繊維補強層が介在されてなる請求項１〜６のいずれか１項に記載の屋根葺き用防水シート。
【請求項８】
前記単位模様の上面に凹凸模様が形成されてなる請求項１〜７のいずれか１項に記載の屋根葺き用防水シート。
【請求項９】
請求項１〜８のいずれか１項に記載された屋根葺き用防水シートの成形方法において、
シートの長さ方向が周回方向となるように単位模様が柄付けされた圧延ロールを用い、材料樹脂を圧延することにより賦形することを特徴とする屋根葺き用防水シートの成形方法。
【請求項１０】
材料樹脂を略均一な厚さのシート素材に押出し、続いて前記シート素材に対して前記圧延ロールを用いて賦形する請求項９に記載の屋根葺き用防水シートの成形方法。
【発明の詳細な説明】
【技術分野】
【０００１】
この発明は、例えば鉄筋コンクリート（ＲＣ）、軽量気泡コンクリート（ＡＬＣ）の家屋や、ビル等における片流れや両流れ屋根等の勾配屋根に適用される屋根葺き用防水シート、およびその成形方法に関する。
【背景技術】
【０００２】
従来、ビルや家屋における勾配屋根を形成する場合、屋根下地の上に、耐水層として下地葺を施工し、その上から所定の固定具を用いて、粘土瓦、セメント瓦、金属瓦等の瓦や石綿スレート材（商品名：カラーベスト、コロニアル）等のタイル状の屋根用パネルを施工することが一般に行われている。しかし、これらにおいては、耐風性、防水性、施工性が劣るという問題があった。
【０００３】
他方、上記に替わり、軟質合成樹脂や合成ゴム等からなる防水シートが施工されることもある。しかし、該シートは勾配屋根に使用されるには良好な外観を得づらく、また、亀裂や破断等の不具合が発生したとき、その不具合箇所が拡大し、被害を広げてしまうといった耐久性に問題があった。
【０００４】
そこで、本出願人は上記の瓦やパネルにおける耐風性、防水性、施工性と、上記防水シートにおける亀裂や破断等に対する耐久性の両者を兼ね備えるものとして、軟質高分子材料からなるシート本体と、その表面に沿って筋状に伸びる特定高さ、幅をもった突起を備えた屋根葺き用防水シートを提案している（特許文献１）。
【特許文献１】特開２００１−１６４７１１号公報
【発明の開示】
【発明が解決しようとする課題】
【０００５】
しかしながら、上記屋根葺き用防水シートは、突起物が勾配のついている方向に対し直交する方向に対して伸びるとともに、勾配方向に所定の間隔をおいて複数並列に設けられた形状であるため、形状のパターンが単一であり、意匠が限定されるといる問題があった。特許文献１の図７に示したように、筋状突起を長さ方向、幅方向にそれぞれ並列状に形成して升目状に配置し、瓦形状やタイル形状を模することも考えられるが、このような形状を適用しても単一的な形状となることは否めず、意匠性の点で十分に満足が得られるものではなかった。
【０００６】
また、施工用の防水シートは施工性を向上させる目的で通常長尺状の巻物が使われるが、上記のような筋状突起がシート長さ方向に沿って連続し、シート幅方向に沿っては所定の間隔おきに複数並列状を形成されたような態様のシートでは、ロール状に巻き取った際に突起部どうし、または凹部どうしが重なり合うこととなり、つまり幅方向で粗と密の部分が極端に発生することとなり、巻き取れる長さが通常の平坦状のシートに比べ短くなるとともに、巻物を互いに積み重ねる場合にも安定性が悪く、荷崩れし易いという問題があった。この問題は、材料の運搬性を悪くし、コストを増大させるものであり、また勾配屋根上では置きづらく、施工性にも悪影響をもたらすものである。
【０００７】
さらに、上記の長尺状シートの成形においては、通常、連続成形の可能な押出法によって、表面の幅方向に、所定の間隔おきで溝が彫り込まれた形状のロールを用いることによってなされるが、上記筋状突起がシート長さ方向に沿って連続して形成されるような形状では、均一な厚さを得るには、上記ロールの溝部分でのバンク（樹脂溜まり）の量を多くする必要があり、この調整には技術と時間がかかるものであり、得られたシートの品質も確保しにくいものであった。それに伴い吐出量も制限されることとなり、経済性においても好ましくなかった。
【課題を解決するための手段】
【０００８】
そこで、本発明は、従来技術における防水シートのもつ耐久性、耐風性等を保持したままで、例えば瓦やタイル状に近い外観も得られ、より優れた美観や意匠性を持たせることができ、かつ長尺のものでも安定して巻き取ることができる屋根葺き用防水シート、およびこのようなシートを効率良く製造できる屋根葺き用防水シートの成形方法を提供することを目的とする。
【０００９】
即ち、本発明の屋根葺き用防水シートは下記（１）〜（８）に記載の構成を有する。
（１）  勾配を有する屋根下地上に敷設されて屋根が形成されるようにした屋根葺き用防水シートであって、防水性を有する軟質高分子材料からなるシート本体の表面に、シートの厚さ方向に形成された段差をもって境界となされた単位模様が繰り返されるとともに、シートの長さ方向における断面積が幅方向の任意位置で略均一となされた連続模様が形成されてなることを特徴とする屋根葺き用防水シート。
（２）  前記単位模様は平面視升目状である（１）に記載の屋根葺き用防水シート。
（３）  前記段差の高さが直線状または曲線状に変化してなる（１）または（２）に記載の屋根葺き用防水シート。
（４）  前記升目の境界を構成する４辺のうち、シートの長さ方向または幅方向のいずれか一方の方向に平行な２辺においては段差が直線状に変化し、他方の方向に平行な２辺のうちの第１の辺においては段差が両端で高くなる凹曲線状に変化し、第２の辺においては段差が両端で低くなる凸曲線状に変化してなる（２）または（３）に記載の屋根葺き用防水シート。
（５）  前記単位模様は、シートの長さ方向または幅方向のうちのいずれか一方の方向において並行に繰り返され、他方の方向において千鳥状に繰り返されてなる（１）〜（４）のいずれか１項に記載の屋根葺き用防水シート。
（６）  前記軟質高分子材料が、軟質ポリ塩化ビニル樹脂、ポリオレフィン系樹脂、塩化ビニル系熱可塑性エラストマー、ポリオレフィン系熱可塑性エラストマーの中から選択される軟質合成樹脂をもって構成されてなる（１）〜（５）のいずれか１項に記載の屋根葺き用防水シート。
（７）  前記シート本体の厚さ方向の中間に、繊維補強層が介在されてなる（１）〜（６）のいずれか１項に記載の屋根葺き用防水シート。
（８）  前記単位模様の上面に凹凸模様が形成されてなる（１）〜（７）のいずれか１項に記載の屋根葺き用防水シート。
【００１０】
また、本発明の屋根葺き用防水シートの成形方法は、下記（９）（１０）に記載の構成を有する。
（９）  （１）〜（８）のいずれか１項に記載された屋根葺き用防水シートの成形方法において、シートの長さ方向が周回方向となるように単位模様が柄付けされた圧延ロールを用い、材料樹脂を圧延することにより賦形することを特徴とする屋根葺き用防水シートの成形方法。
（１０）  材料樹脂を略均一な厚さのシート素材に押出し、続いて前記シート素材に対して前記圧延ロールを用いて賦形する（９）に記載の屋根葺き用防水シートの成形方法。
【発明の効果】
【００１１】
（１）の発明によれば、単位模様の境界に形成された段差が陰影を形成し、立体感があって意匠性の高い外観を呈する防水シートとなし得、単位模様の平面形状と配列、段差の高さと形状によって多様な外観を得ることができる。また、段差によって応力集中や亀裂の拡がりが食い止められて、耐久性に優れたシートとなし得る。さらに、単位模様が繰り返された連続模様であるため、シート長さ方向における断面積が幅方向の任意の位置で略均一となり、長尺シートを巻き取った場合にもシート表面の凸状部分が偏って重なることがなく安定して巻き取ることができる。巻き取った巻物は嵩張りが少なく載置安定性が良いため、積み重ねても荷崩れしにくく、保管時や運搬時の作業性も良い。また、勾配屋根上での施工作業性も良い。
【００１２】
（２）の発明によれば、タイル状の外観が得られる。
【００１３】
（３）の発明によれば、段差による陰影が変化に富むものとなる。
【００１４】
（４）の発明によれば、単位模様の形状と段差による陰影がさらに複雑になり、意匠性の高い外観を呈する。
【００１５】
（５）の発明によれば、瓦葺きに近い外観を呈する。
【００１６】
（６）の発明によれば、防水性および耐久性に優れ、かつ成形性が良好であるため生産性、経済性に優れた防水シートとなし得る。
【００１７】
（７）の発明によれば、シートの剛性や強度を向上させて、良好な形態安定性を得ることができるとともに、亀裂や破断等の発生をより確実に防止することができる。
【００１８】
（８）の発明によれば、シートの意匠性や美観をさらに向上させることができる。
【００１９】
（９）の発明にかかる屋根葺き用防水シートの成形方法によれば、模様の賦形が容易である。しかも、圧延ロールへの樹脂供給量がシートの幅方向で略均一であるため、樹脂供給量の調整が容易であり、安定したシート形状が得られ、かつ圧延速度を高めて生産性を向上させることができる。
【００２０】
（１０）の発明によれば、さらに防水シートの形状品質を安定させるとともに、生産効率を高めることができる。
【発明を実施するための最良の形態】
【００２１】
本発明にかかる屋根葺き用防水シートの実施形態について、図面を参照しつつ詳述する。なお、各図において同一符号を付したものは、同一または同等のものを示すものとして重複する説明を省略する。
【００２２】
〔第１実施形態〕
図１Ａ〜図１Ｃに示すように、屋根葺き用防水シート(1)は、シート本体(10)の表面に平面視升目状の２種類の単位模様(11)(12)がシートの長さ方向（Ｘ）および幅方向（Ｙ）に交互にかつ並行に繰り返された連続模様が形成されている。前記単位模様(11)(12)は、隣接する単位模様(12)(11)との境界を構成する各辺(13)においてシート本体(10)の厚さを変え、厚さ（Ｄ0）の基本部分に一定の高さ（Ｄ1）の段差(14)を付加することにより形成されたものである。凸状の単位模様(11)の厚さは（Ｄ0＋Ｄ1）、凹状の単位模様(12)の厚さは（Ｄ0）であって、各上面(15)(16)はいずれも平坦面となされている。
【００２３】
前記屋根葺き用防水シート(1)は、凹凸による升目が交互に繰り返されてタイル状の外観を呈し、かつ段差(14)が暗い陰影を形成して立体感が感じられる。
【００２４】
また、前記屋根葺き用防水シート(1)は、凸状の単位模様(11)および凹状の単位模様(12)の組み合わせであるから、幅方向の１列のみの断面積を観察すると２種類の単位模様(11)(12)で断面積が大きく異なる。しかし、図１Ｂに示すように、長さ方向にも単位模様の繰り返しによって断面積が均され、連続模様としての断面積は幅方向の任意位置で均一となっている。
【００２５】
〔第２実施形態〕
図２Ａおよび図２Ｂに示すように、屋根葺き用防水シート(2)は、シート本体(10)の表面に平面視升目状の単位模様(21)がシートの長さ方向（Ｘ）においては並行に繰り返され、幅方向（Ｙ）には千鳥状に繰り返された連続模様が形成されている。
【００２６】
図２Ｃに１つの単位模様(21)を取り出して示す。前記単位模様(21)の境界を構成する４辺(23a)(23b)(23c)(23d)において、下面側一定厚さ（Ｄ0）の斜線部分は隣接する単位模様に繋がっている部分を示し、その上方の側面視三角形の部分が段差(24a)(24b)(24c)(24d)を示している。前記段差の高さは、いずれの辺においても直線状に変化し、かつ対向する２辺で互いに逆向きに変化する。即ち、辺(23a)(23c)の段差(24a)(24c)の高さ（Ｄ2a）（Ｄ2c）は互いに逆向きに変化し、また辺(23b)(23d)の段差(24b)(24d)の高さ（Ｄ2b）（Ｄ2d）では互いに逆向きに変化する。これらの段差により、単位模様(21)の上面(25)は、２つの低い頂点(26a)(26c)間の対角線上で最も低く、他２つの頂点(26b)(26d)に向かって連続的に高くなる２つの傾斜面によって形成されている。また、本防水シート(2)のシート厚さの最小値は頂点(26a)(26c)の対角線における厚さ（Ｄ0）であり、最大値は頂点(26b)(26d)における厚さである。
【００２７】
前記屋根葺き用防水シート(2)は、単位模様(21)を千鳥状に繰り返すとともに、各辺の段差の高さと方向に変化を付けて上面を２つの傾斜面で構成することにより、第１実施形態の防水シート(1)よりも形状が複雑である。このため、段差による陰影が変化に富んで立体感が増し、意匠性の高いものとなった。
【００２８】
前記屋根葺き用防水シート(2)において、図２Ｂにおける３Ａ−３Ａ線断面図、３Ｂ−３Ｂ線断面図および３Ｃ−３Ｃ線断面図を図３Ａ、図３Ｂおよび図３Ｃに示す。これらの断面図において、Ｐは頂点(26a)(26c)を結ぶ対角線上の位置を示し、シートの最も薄い部分を示している。これらに図示したように、防水シート(2)のシート長さ方向における断面積は、幅方向の任意位置で均一である。なお、本実施形態の単位模様(21)は、単独でも長さ方向における断面積が幅方向の任意位置で均一である。
【００２９】
〔第３実施形態〕
図４Ａおよび図４Ｂに示す本実施形態の屋根葺き用防水シート(3)は、第２実施形態とは単位模様の段差の付け方のみが相違し、単位模様の平面形状および配置は同じである（図２Ａ参照）。
【００３０】
図４Ｂに１つの単位模様(31)を取り出して示す。前記単位模様(31)の境界を構成する４辺(33a)(33b)(33c)(33d)において、下面側一定厚さ（Ｄ0）の斜線部分は隣接する単位模様に繋がっている部分を示し、その上方の側面視三角形の部分(34a)(34c)、弓形の部分(34d)および逆弓形の部分(34b)が段差を示している。４辺の段差うち、シートの長さ方向（Ｘ）に平行な２つの長辺(32a)(32c)においては、段差(34a)(34c)の高さ（Ｄ3a）（Ｄ3c）が同方向の直線状に変化する。また、シートの幅方向（Ｙ）に平行で対向する２の短辺のうちの第１の辺(32b)においては、段差(34b)の高さ（Ｄ3b）が辺の両端の頂点(36a)(36b)で高く中間点(37a)で低くなる凹曲線状に変化し、第２の辺(32d)においては段差(34d)の高さ（Ｄ3d）が辺の両端の頂点(36c)(36d)で低く中間点(37b)で高くなる凸曲線状に変化する。これらの段差により、単位模様(31)の上面(35)は、長辺(32a)(32c)の中間で曲がり方向が反転する複合曲面となされている。また、本防水シート(3)のシート厚さの最小値は頂点(36c)(36d)および中間点(37a)における厚さ（Ｄ0）であり、最大値は頂点(36a)(36b)および中間点(37b)における厚さである。
【００３１】
前記屋根葺き用防水シート(3)は、単位模様(31)の段差を直線状と曲線状とで形成し、上面(35)の形状が第２実施形態の防水シート(2)よりもさらに複雑なものとなって、瓦状の外観を呈するものである。また、段差による陰影の変化がなお一層複雑になり、太陽光の角度（時間）、天候により模様の見え方が微妙に変化して高級感のある意匠となった。
【００３２】
前記屋根葺き用防水シート(3)において、図４Ａにおける５Ａ−５Ａ線断面図、５Ｂ−５Ｂ線断面図および５Ｃ−５Ｃ線断面図を図５Ａ、図５Ｂおよび図５Ｃに示す。これらに図示したように、防水シート(3)のシート長さ方向における断面積は、幅方向の任意位置で略均一である。なお、本実施形態の単位模様(31)は、単独でも長さ方向における断面積が幅方向の任意位置で略均一である。
【００３３】
上述した各屋根葺き用防水シート(1)(2)(3)は、表面に、段差(14)(24a)〜(24d)(34a)〜(34d)をもって境界となされた単位模様(11)(12)(21)(31)が繰り返された連続模様が形成されているため、意匠性に富むものである。また、単位模様の境界に段差を設けることによって、施工後経年劣化した際に生じる応力集中や亀裂の拡がりを段差で食い止めることができ、防水シートを優れた耐久性を有するものとなし得る。
【００３４】
前記段差(14)(24a)〜(24d)(34a)〜(34d)は、模様を認識させるとともに立体感をかもし出す効果を奏するものである。段差(14)(24a)〜(24d)(34a)〜(34d)の高さ（Ｄ1）（Ｄ2a）〜（Ｄ2d）（Ｄ3a）〜（Ｄ3d）は、前記効果を得るために最も高い部分で０．５mm以上に設定することが好ましい。０．５mm未満では、遠目で模様が認識されにくく、立体感にも乏しいものとなる。一方、段差を高くしすぎると屋根材としての実用性に欠き、施工作業にも手間がかかるため、最も高い部分で２．５mm以下が好ましい。特に好ましい段差は、最も高い部分で０．７〜２．０mmである。また、シート厚さは、強度、剛性、防水性、耐久性等の屋根葺き材料として要求される性能を確保するために、最も薄い部分（Ｄ0）でも０．５〜２．０mmに設定することが好ましく、特に０．８〜１．５mmが好ましい。従って、模様を含むシートの全体厚さは１．０（最も薄い部分（Ｄ0）の最小値＋段差最小値の０．５mm）〜６mmが好ましく、特に１．５〜５mmが好ましい。また、平均厚さは１．５〜５mmが好ましく、特に１．５〜４mmが好ましい。ここでいう平均厚さとは単位模様当りにおけるシート厚さの平均値のことである。
【００３５】
また、単位模様の形状に何ら制限はなく、図示例の升目状の他、多角形、円形、楕円形、直線と曲線との組み合わせによるもの等を例示できる。また、１種の単位模様のみならず、複数の単位模様を組み合わせた連続模様も本発明に含まれる。また、単位模様の平面寸法にも何ら制限はないが、施工後に遠目からの外観を考慮すると、１辺の長さを１００〜５００mmに設定したものが好ましい。
【００３６】
また、単位模様の配置位置にも何ら制限はなく、第１実施形態の防水シート(1)のように縦横に並行に配列したものや、第２および第３実施形態の防水シート(2)(3)のように並行と千鳥状を組み合わせた配列の他、縦横に千鳥状の配列やランダムに繰り返される配列を例示できる。並行と千鳥状を組み合わせる場合、施工状態において母屋方向に並行で軒−棟方向に千鳥状の配列が好ましい。前記配列は瓦葺き屋根のような外観を呈し、意匠性に富んだものとなる。また一般に、防水シートは図８に参照されるように長尺シートを母屋方向に沿って施工されることが多く、図２Ａに示したように、シートの長さ方向に単位模様(21)(31)を並行に繰り返し、幅方向に千鳥状に繰り返すことが好ましい。なお、この発明の屋根葺き用防水シートは施工方向を限定するものではない。
【００３７】
上述したように、本発明の屋根葺き用防水シートは、単位模様の平面形状と配列、段差の高さと形状によって多様な外観を得ることができる。
【００３８】
また、屋根葺き用防水シート(1)(2)(3)は、単位模様(11)(12)(21)(31)の繰り返しによって連続模様が形成され、シート長さ方向における断面積が幅方向の任意の位置で略均一となっている。このため、長尺シートを巻き取った場合にもシート表面の凸状部分が偏って重なることがなく安定して巻き取ることができる。巻き取った巻物は嵩張りが少なく載置安定性が良いため、積み重ねても荷崩れしにくく、保管時や運搬時の作業性も良い。また、勾配屋根上での施工作業性も良い。
【００３９】
さらに、図６に示すように、単位模様(41)の上面に小さい凹凸模様(42)を形成することも好ましい。凹凸模様(42)によってさらに模様と陰影が複雑になり、意匠性や美観が向上する。前記凹凸模様(42)の形状や高さに何ら制限はなく、また模様付け位置は上面の全域でも良いし一部分でも良い。
【００４０】
屋根葺き用防水シートの全体寸法も制限されないものの、施工効率を勘案するとシート幅は３００〜２５００mmが好ましく、特に１０００〜２０００mmが好ましい。即ち、このシート幅が小さ過ぎると、シート一枚当たりの施工面積が狭くなってシート施工枚数が増大し、作業性の低下を来す恐れがある。逆にシート幅が大き過ぎる場合には、持ち運びや、敷設時の巻出し作業等の取り扱いが困難になって、作業性の低下を来す恐れがある。長さは５ｍ以上の長尺シートが好ましく、通常、このような長尺シートは巻物として取り扱われる。もちろん、短尺で巻物とされないパネル状シートも本発明に含まれる。
【００４１】
本発明の屋根葺き用防水シートは、防水性を有する軟質高分子材料、例えば軟質ポリ塩化ビニル樹脂、ポリオレフィン系樹脂、塩化ビニル系熱可塑性エラストマー、ポリオレフィン系熱可塑性エラストマー等の軟質熱可塑性合成樹脂の他、合成ゴム等により構成されており、単独の材料で形成するようにしても、１種以上の複数の材料を積層状態にして形成するようにしても良い。これらの材料はいずれも防水性や耐久性に優れたものである。中でも特に、熱可塑性樹脂からなるものは、圧延等を利用することにより賦形を容易に行えるので、防水シートの生産性および経済性に優れる点で好適に採用することができる。
【００４２】
また図７に示すように、シート本体(10)には、その厚さ方向中間に繊維からなる補強層(18)を介在させるのが好ましい。すなわち繊維補強層(18)を介在させることにより、シート本体(10)の剛性や強度を効率良く向上させることができ、良好な形態安定性を得ることができるとともに、亀裂や破断等の発生も、より確実に防止することができる。この繊維補強層(18)としては、ガラス繊維等の無機繊維や、ポリエステル繊維等の有機合成繊維からなる織布または不織布ものを好適に用いることができる。更に繊維補強層(18)の設置高さ（Ｈ）は、シート本体(10)の段差(17)を除く部分の基本厚さ、即ち最も薄い部分の厚さ（Ｄ0）に対し、シート裏面側から０．２Ｄ0〜０．５Ｄ0に設定するのが好ましく、特に０．２〜２．０ｍｍに設定するのが好ましい。
【００４３】
〔施工例〕
図８に、第２実施形態の屋根葺き用防水シート(2)の施工例を示す。この施工例において、複数枚の屋根葺き用防水シート(2)が、その長さ方向（Ｘ）を屋根下地(4)の母屋方向に沿わせる方向に並列状に敷設されている。従って、単位模様(21)は母屋方向（Ｘ）には並行に配列し、軒−棟の勾配方向（Ｙ）には千鳥状に配列している。このような外観は瓦葺きに近いものであり、瓦葺き家屋が建ち並ぶ町並みにも調和のとれた外観を実現できる。また、図２Ｂおよび図２Ｃに示すように、単位模様(21)の上面(25)は対角線上が低くなった傾斜面で形成されているため、雨水は矢印で示すように最も低い部分を流れる。このため埃やゴミは雨水に流され易く、雨水も溜まりにくい屋根構造となり、屋根表面の状態を常に良好に保つことができる。
【００４４】
また、屋根葺き用防水シート(2)の施工は、屋根下地(4)上に樹脂被覆鋼板製等の固定ディスク(5)を固定し、防水シート(2)を屋根下地(4)上に敷設して、その防水シート(2)の所要部分、固定ディスク(5)に溶剤溶着や熱風融着処理により接合固定する、いわゆる絶縁工法や、防水シート(2)の裏面側のほぼ全面を接着剤を介して屋根下地(4)に接着固定する、いわゆる接着工法等を好適に採用することができる。
【００４５】
また、こうして複数の防水シート(2)を並列状に敷設施工する際に、隣合う防水シートの端縁部同士を溶融着ないしは接着して接合するものであるが、端縁部同士を重ね合わせて接合することにより防水性を確保できる。
【００４６】
なお上述の施工例においては、防水シート(2)を両流れ屋根に適用する場合について説明しているが、本発明は片流れ屋根等の勾配屋根にも適用することができる。また、防水シート(2)の敷設方向をシートの長さ方向を勾配方向と同一方向としても良い。
【００４７】
〔屋根葺き用防水シートの成形方法〕
本発明の屋根葺き用防水シートは、例えば図９に示すように、防水シート（Ｓ）の長さ方向（Ｘ）が周回方向となるように単位模様が柄付けされた圧延ロール(50)を用い、材料樹脂(51)を圧延しながら連続模様を賦形することによって成形することができる。また、圧延ロール(50)の周回によって単位模様の型付けが繰り返されるため、長尺シートを効率良く成形できる。この方法によれば、成形が容易であるとともに精度良く賦形でき、周回速度を上げても安定した品質の防水シート（Ｓ）を製造することができる。
【００４８】
また、シートの長さ方向の断面積は幅方向の任意位置で略均一であり、幅方向における樹脂の供給量が略一定となる。このため、特許文献１で示した筋状突起を有するシートの成形において突起部分で樹脂供給量を多くするような調整に比べると、幅方向における樹脂供給量の調整が容易であり、安定したシート形状が得られ、かつ圧延速度を高めて生産性を向上させることが可能である。
【００４９】
前記圧延には、別途製作したシート素材や塊状の材料樹脂を供することもできるが、図示例のように、シート素材の押出成形と賦形とを連続して実施することが好ましい。具体的には、圧延の前段に押出装置を配置し、Ｔダイ等の成形用金型(53)から所定厚さのシート素材(52)を押出し、続いて圧延ロール(50)を用いてでシート素材(52)に賦形する。この方法によれば、均一厚さに成形されたシート素材(52)に対して賦形するから高い形状安定性が得られる。また押出直後で冷却途中のまだ十分に柔らかい状態であり、改めて軟化させる必要もないから生産効率が良い。
【００５０】
また、図６のように単位模様(41)の上面に凹凸模様(42)を付与する場合は、圧延ロール(50)の所要位置に凹凸を形成しておけば、単位模様(41)の付与と同時に凹凸模様(42)が形成される。
【００５１】
さらに、シート本体(10)に繊維補強層(18)を介在させる場合は、予め、設定高さ（Ｈ）の厚さを有するシート層の表面に繊維補強層(18)を熱圧着等により積層させておいた裏面用シート素材を用意しておき、その裏面用シート素材を、繊維補強層(18)がシート素材(52)に重なり合うような態様で圧延ロール(50)間に挿入し、この両素材を前記圧延ロール(50)で熱圧着しながら賦形する方法を例示できる。
【図面の簡単な説明】
【００５２】
【図１Ａ】本発明の屋根葺き用防水シートの第１実施形態の平面図である。
【図１Ｂ】図１Ａにおける１Ｂ−１Ｂ線断面図である。
【図１Ｃ】図１Ａにおける１Ｃ−１Ｃ線断面図である。
【図２Ａ】本発明の屋根葺き用防水シートの第２および第３実施形態の平面図である。
【図２Ｂ】第２実施形態の屋根葺き用防水シートの要部斜視図である。
【図２Ｃ】さらに図２Ｂの要部拡大斜視図である。
【図３Ａ】図２Ｂにおける３Ａ−３Ａ線断面図である。
【図３Ｂ】図２Ｂにおける３Ｂ−３Ｂ線断面図である。
【図３Ｃ】図２Ｂにおける３Ｃ−３Ｃ線断面図である。
【図４Ａ】第３実施形態の屋根葺き用防水シートの要部斜視図である。
【図４Ｂ】さらに図４Ａの要部拡大斜視図である。
【図５Ａ】図４Ａにおける５Ａ−５Ａ線断面図である。
【図５Ｂ】図４Ａにおける５Ｂ−５Ｂ線断面図である。
【図５Ｃ】図４Ａにおける５Ｃ−５Ｃ線断面図である。
【図６】本発明の屋根葺き用防水シートの他の実施形態の要部断面図である。
【図７】本発明の屋根葺き用防水シートのさらに他の実施形態の要部断面図である。
【図８】屋根葺き用防水シートの施工状態を示す部分斜視図である。
【図９】屋根葺き用防水シートの成形方法を示す模式図である。
【符号の説明】
【００５３】
1,2,3,Ｓ…屋根葺き用防水シート
4…屋根下地
10…シート本体
11,12,21,31,41…単位模様
14,24a,24b,24c,24d,34a,34b,34c,34d…段差
23a,23b,23c,23d,33a,33b,33c,33d…辺（境界）
18…繊維補強層
42…凹凸模様
50…圧延ロール
52…シート素材
53…成形用金型
Ｄ1、Ｄ2a、Ｄ2b、Ｄ2c、Ｄ2d、Ｄ3a、Ｄ3b、Ｄ3c、Ｄ3d…段差の高さ
Ｘ…シートの長さ方向
Ｙ…シートの幅方向
【図１Ａ】
2005179934.tif 000003
【図１Ｂ】
2005179934.tif 000004
【図１Ｃ】
2005179934.tif 000005
【図２Ａ】
2005179934.tif 000006
【図２Ｂ】
2005179934.tif 000007
【図２Ｃ】
2005179934.tif 000008
【図３Ａ】
2005179934.tif 000009
【図３Ｂ】
2005179934.tif 000010
【図３Ｃ】
2005179934.tif 000011
【図４Ａ】
2005179934.tif 000012
【図４Ｂ】
2005179934.tif 000013
【図５Ａ】
2005179934.tif 000014
【図５Ｂ】
2005179934.tif 000015
【図５Ｃ】
2005179934.tif 000016
【図６】
2005179934.tif 000017
【図７】
2005179934.tif 000018
【図８】
2005179934.tif 000019
【図９】
2005179934.tif 000020